(57)【要約】【課題】電気光学装置のさらなる薄型化・軽量化を図る。【解決手段】電気光学装置１００は、第１電極２０と、第２電極３０と、第１電極２０と第２電極３０との間に配置される液晶４０とからなる液晶素子Ｕと、第２電極３０と、第３電極５０と、第２電極３０と第３電極５０との間に配置される発光層６０とからなる発光素子Ｅと、を備え、液晶素子Ｕと発光素子Ｅとは、互いに対向する第１基板１１と第２基板１２との間に配置される。発光素子Ｅの陰極と、液晶素子Ｕの一方の電極とが共通化されるので、発光素子Ｅと液晶素子Ｕとが別々に作り込まれる態様に比べて、電気光学装置１００の薄型・軽量化を図ることができる。【選択図】      図１
2012013992.tif 000002
【特許請求の範囲】
【請求項１】
第１電極と、第２電極と、前記第１電極と前記第２電極との間に配置される電気光学物質とからなる電気光学素子と、
前記第２電極と、第３電極と、前記第２電極と前記第３電極との間に配置される発光層とからなる発光素子と、を備え、
前記電気光学素子と前記発光素子とは、互いに対向する第１基板と第２基板との間に配置される、
ことを特徴とする電気光学装置。
【請求項２】
前記電気光学素子は、前記第１基板と前記発光素子との間に配置され、
前記発光素子と前記第２基板との間に配置されるカラーフィルタをさらに備え、
前記カラーフィルタの前記発光層と対向する領域には、前記発光層からの出射光を前記第１基板側へ反射させるための第１反射層が設けられ、
前記第１基板と前記第１電極との間には、前記発光層からの出射光を前記第２基板側へ反射させるための第２反射層が設けられ、
前記第２反射層で反射した光のうち前記電気光学物質を透過して前記第２基板側へ進行する光は、前記カラーフィルタのうち、前記発光層と対向する領域以外の領域に取り込まれる、
ことを特徴とする請求項１に記載の電気光学装置。
【請求項３】
前記第１電極、前記第２電極および前記第３電極は透明電極で構成される、
請求項１または請求項２に記載の電気光学装置。
【請求項４】
１対１に対応する前記電気光学素子と前記発光素子との組が複数設けられ、
前記第２電極は前記各組で共有される、
ことを特徴とする請求項１から請求項３の何れかに記載の電気光学装置。
【請求項５】
前記第２基板のうち前記第１基板と対向する側の面には、前記各組の境界領域に沿って遮光膜が形成され、
前記各組に対応する前記遮光膜の一部は、当該組の前記発光素子の電源線として構成される、
ことを特徴とする請求項４に記載の電気光学装置。
【請求項６】
前記各組の発光素子は、高位側電源線と低位側電源線との間に配置され、
前記第２基板のうち前記第１基板と対向する側の面には、各々が第１方向に沿って延びる複数の前記高位側電源線と、各々が前記第１方向に沿って延びる複数の前記低位側電源線とが設けられ、前記高位側電源線と前記低位側電源線とは、前記第１方向とは異なる第２方向に沿って、所定の間隔で交互に配置され、
前記高位側電源線は、当該高位側電源線を挟んで前記第２方向に隣り合う前記組の前記発光素子で共有される一方、前記低位側電源線は、当該低位側電源線を挟んで前記第２方向に隣り合う前記組の前記発光素子で共有される、
ことを特徴とする請求項４または請求項５に記載の電気光学装置。
【請求項７】
請求項１から請求項６の何れかに記載の電気光学装置を備える電子機器。
【発明の詳細な説明】
【技術分野】
【０００１】
本発明は、電気光学装置に関する。
【背景技術】
【０００２】
印加される電気エネルギー（例えば電圧）に応じて光の透過率が変化する電気光学装置の一例として、液晶などの電気光学物質を含む電気光学素子と、その電気光学素子の光源となる照明部とを備える電気光学装置が従来から知られている。
【０００３】
例えば特許文献１には、反射型の液晶パネルと、当該液晶パネルの光源となる照明手段とを備える液晶装置が開示されている。特許文献１では、別々に作り込まれた液晶パネルと照明手段とが重ね合わされて、液晶装置が構成される。
【先行技術文献】
【特許文献】
【０００４】
【特許文献１】特許第３７９７００７号公報
【発明の概要】
【発明が解決しようとする課題】
【０００５】
近年では、液晶装置などの電気光学装置のさらなる薄型・軽量化の要請が高まっているが、特許文献１の技術では、充分に薄型・軽量化を図ることができないという問題があった。
以上の事情に鑑みて、本発明は、電気光学装置のさらなる薄型化・軽量化を図るという課題の解決を目的としている。
【課題を解決するための手段】
【０００６】
以上の課題を解決するために、本発明に係る電気光学装置は、第１電極と、第２電極と、第１電極と第２電極との間に配置される電気光学物質とからなる電気光学素子と、第２電極と、第３電極と、第２電極と第３電極との間に配置される発光層とからなる発光素子と、を備え、電気光学素子と発光素子とは、互いに対向する第１基板と第２基板との間に配置されることを特徴とする。
【０００７】
本発明によれば、電気光学素子の一方の電極と、発光素子の一方の電極とが共通化されるので、電気光学素子と発光素子とが別々に作り込まれる態様に比べて、電気光学装置の薄型・軽量化を図ることができるという利点がある。
【０００８】
本発明に係る電気光学装置の態様として、電気光学素子は、第１基板と発光素子との間に配置され、発光素子と第２基板との間に配置されるカラーフィルタをさらに備え、カラーフィルタの発光層と対向する領域には、発光層からの出射光を第１基板側へ反射させるための第１反射層が設けられ、第１基板と第１電極との間には、発光層からの出射光を第２基板側へ反射させるための第２反射層が設けられ、第２反射層で反射した光のうち電気光学物質を透過して第２基板側へ進行する光は、カラーフィルタのうち、発光層と対向する領域以外の領域に取り込まれる。また、第１電極、第２電極および第３電極は透明電極で構成される。
【０００９】
上述の特許文献１では、各画素の境界領域に沿って形成される遮光膜（ブラックマトリクス）上に複数の発光素子が設けられるので、画素からの反射光のうちブラックマトリクスに吸収される光の量が多くなる。すなわち、特許文献１の構成では、画素からの反射光のうち当該画素に対応するカラーフィルタに取り込まれる光の量を充分に確保することが困難であるとともに、隣接する画素からの反射光が混ざり易いので、所望の色を取り出すことが困難であるという問題がある。
【００１０】
これに対して、上述の本発明の態様では、電気光学素子を照明するための発光素子が、カラーフィルタと対向するように設けられることで、電気光学素子からの反射光のうち、当該電気光学素子と対向するカラーフィルタに取り込まれる光の量を充分に確保できるとともに、混色の発生を抑制できるという利点がある。
【００１１】
本発明に係る電気光学装置の具体的な態様として、１対１に対応する電気光学素子と発光素子との組が複数設けられ、第２電極は各組で共有される。そして、第２基板のうち第１基板と対向する側の面には、各組の境界領域に沿って遮光膜が形成され、各組に対応する遮光膜の一部は、当該組の発光素子の電源線として構成される。
【００１２】
この態様では、各組に対応する遮光膜の一部と、当該組の発光素子の電源線とが兼用されるので、構成が簡素化されるという利点がある。
【００１３】
また、本発明に係る電気光学装置の態様として、各組の発光素子は、高位側電源線と低位側電源線との間に配置され、第２基板のうち第１基板と対向する側の面には、各々が第１方向に沿って延びる複数の高位側電源線と、各々が第１方向に沿って延びる複数の低位側電源線とが設けられ、高位側電源線と低位側電源線とは、第１方向とは異なる第２方向に沿って、所定の間隔で交互に配置され、高位側電源線は、当該高位側電源線を挟んで第２方向に隣り合う組の発光素子で共有される一方、低位側電源線は、当該低位側電源線を挟んで第２方向に隣り合う組の発光素子で共有される。
【００１４】
この態様では、高位側電源線は、当該高位側電源線を挟んで第２方向に隣り合う組の発光素子で共有される一方、低位側電源線は、当該低位側電源線を挟んで第２方向に隣り合う組の発光素子で共有されるので、第２方向に隣り合う２つの組に着目すると、当該２つの組で必要な電源線（高位側電源線、低位側電源線）は３本で済む。したがって、第２方向に隣接する組ごとに電源線が２本ずつ設けられる態様に比べて、構成が簡素化されるという利点がある。
【００１５】
本発明に係る電気光学装置は各種の電子機器に利用される。電子機器の典型例は、電気光学装置を表示装置として利用した機器である。本発明に係る電子機器としてはパーソナルコンピュータや携帯電話機が例示される。
【図面の簡単な説明】
【００１６】
【図１】本発明の実施形態に係る電気光学装置の概略構成を示す断面図である。
【図２】基板の垂直方向から電気光学装置を見たときの模式的な平面図である。
【図３】第１電極と発光層との位置関係を説明するための模式的な平面図である。
【図４】発光層からの出射光がカラーフィルタに取り込まれるまでの経路を説明するための模式図である。
【図５】カラーフィルタのうち、液晶素子からの反射光を取り込む領域を説明するための模式図である。
【図６】本発明に係る電子機器の具体例を示す図である。
【図７】本発明に係る電子機器の具体例を示す図である。
【図８】本発明に係る電子機器の具体例を示す図である。
【発明を実施するための形態】
【００１７】
＜１．実施形態＞
図１は、本発明の実施形態に係る電気光学装置１００の断面図である。この電気光学装置１００は、反射型の液晶装置であり、画像を表示する表示装置として電子機器に搭載される。本実施形態に係る電気光学装置１００は、複数の液晶素子Ｕと、複数の発光素子Ｅとが、互いに対向する第１基板１１と第２基板１２との間に配置されて構成される。第１基板１１および第２基板１２は、ガラスなどの光透過性を有する材料で構成される。
【００１８】
液晶素子Ｕは、第１電極２０と、第２電極３０と、両者間に配置される液晶４０とを含んで構成される。また、発光素子Ｅは、白色光を発生する要素であり、第２電極３０と、第３電極５０と、両者間に配置される発光層６０とを含んで構成される。複数の液晶素子Ｕと複数の発光素子Ｅとは１対１に対応する。見方を変えれば、第１基板１１と第２基板１２との間には、１対１に対応する液晶素子Ｕと発光素子Ｅとの組Ｐが複数設けられるという具合である。図１では、ひとつの組Ｐが代表的に図示されているが、他の組Ｐの構成も同様である。以下では、図１を参照しながら、電気光学装置１００の具体的な構成を説明する。
【００１９】
図１に示すように、第２基板１２のうち第１基板１１と対向する側の面には、カラーフィルタCFおよび遮光膜BMが形成される。カラーフィルタCFは組Ｐごとに配置され、各カラーフィルタCFは相互に離間して配置される。各カラーフィルタCFは、「Ｒ（赤色）」「Ｇ（緑色）」「Ｂ（青色）」のうちの何れかの色に対応する。
【００２０】
遮光膜BMは、各組Ｐの境界領域に沿って形成された遮光性の膜体である。図２は、遮光膜BMを説明するための図であり、第２基板１２の垂直方向から電気光学装置１００を見たときの模式的な平面図である。本実施形態では、各組Ｐに対応する遮光膜BMの一部は、当該組の発光素子Ｅの電源線として構成される。より具体的には以下のとおりである。図２に示すように、第２基板１２のうち第１基板１１と対向する側の面には、各々が図２のＹ方向に沿って延びるとともに遮光膜BMとしても機能する複数の高位側電源線１３と、各々が図２のＹ方向に沿って延びるとともに遮光膜BMとしても機能する複数の低位側電源線１４とが形成される。高位側電源線１３および低位側電源線１４の各々は、クロムなどの導体で構成される。高位側電源線１３と低位側電源線１４とは、図２のＹ方向と直交するＸ方向に沿って、所定の間隔で交互に配置される。また、図２に示すように、高位側電源線１３と低位側電源線１４との間に配置されるとともにＸ方向に延在する他の遮光膜BMは、高位側電源線１３と低位側電源線１４とは接触しないように配置される。これにより、高位側電源線１３と低位側電源線１４との短絡が防止される。
【００２１】
本実施形態では、高位側電源線１３は、当該高位側電源線１３を挟んでＸ方向に隣り合う組Ｐで共有される一方、低位側電源線１４は、当該低位側電源線１４を挟んでＸ方向に隣り合う組Ｐで共有される。図２において、Ｘ方向に隣り合う２つの組Ｐに着目すると、当該２つの組Ｐで必要な電源線（高位側電源線１３、低位側電源線１４）は３本で済む。したがって、図２のＸ方向に隣接する組Ｐごとに電源線が２本ずつ設けられる態様に比べて、構成が簡素化されるという利点がある。
【００２２】
再び図１に戻って説明を続ける。図１に示すように、カラーフィルタCF上には、第１反射層１５が形成される。第１反射層１５は組Ｐごとに配置され、各第１反射層１５は、相互に離間して配置される。各第１反射層１５は、光反射性を有する材料によって形成される。この種の材料としては、例えばアルミニウムや銀などの単体金属、またはアルミニウムや銀を主成分とする合金などが好適に採用される。
【００２３】
図１に示すように、第１反射層１５は、第３電極５０で覆われる。第３電極５０は、発光素子Ｅの陽極であり、遮光膜BMとしても機能する高位側電源線１３と接続される。前述したように、高位側電源線１３は、当該高位側電源線１３を挟んで図２のＸ方向に隣り合う組Ｐで共有されるところ、本実施形態では、第３電極５０は、高位側電源線１３を挟んで図２のＸ方向に隣接する組Ｐの発光素子Ｅにわたって連続する。また、本実施形態では、第３電極５０は、ＩＴＯ（indium tin oxide）、ＩＺＯ（indium zinc oxide、出光興産株式会社の登録商標）、またはＺｎＯ２のような透明酸化物導電材料から形成される。
【００２４】
図１に示すように、第３電極５０上には、発光層６０が形成される。詳細な説明は省略するが、発光層６０は、正孔注入／輸送層や有機ＥＬ層などの積層体として形成されて、白色光を発する。本実施形態では、発光層６０は組Ｐごとに設けられ、第２基板１２の表面上の空間を発光素子Ｅごと（発光層６０ごと）に仕切るための隔壁７０が第３電極５０上に形成される。この隔壁７０は、絶縁性の透明材料、例えばアクリル、ポリイミドなどにより形成されている。発光層６０は、第２基板１２の垂直方向から見て第１反射層１５と重なり合うように形成される。言い換えれば、カラーフィルタCFのうち、発光層６０と対向する領域に第１反射層１５が形成されるとも言える。
【００２５】
図１に示すように、第２電極３０は、発光層６０および隔壁７０を覆うように形成される。すなわち、第２電極３０は複数の発光素子Ｅにわたって連続している。また、本実施形態では、第２電極３０は発光素子Ｅの陰極であり、第２電極３０は、遮光膜BMとしても機能する各低位側電源線１４と接続される。より具体的には、図１に示すように、隔壁７０には、第２電極３０と低位側電源線１４とを導通させるためのコンタクトホールCHが形成され、第２電極３０と低位側電源線１４とは当該コンタクトホールCHを介して導通する。本実施形態では、第２電極３０は、ＩＴＯ（indium tin oxide）、ＩＺＯ（indium zinc oxide、出光興産株式会社の登録商標）、またはＺｎＯ２のような透明酸化物導電材料から形成される。また、第２電極３０と第３電極５０とは隔壁７０によって絶縁されている。本実施形態では、ひとつの発光素子Ｅは、第２電極３０と、第３電極５０と、当該第２電極３０および第３電極５０の間に配置されたひとつの発光層６０とを含んで構成されるという具合である。
【００２６】
ここで、本実施形態では、各発光素子Ｅの陰極を構成する第２電極３０は、各液晶素子Ｕの一方の電極を兼ねる。すなわち、第２電極３０は複数の液晶素子Ｕにわたって連続している。第２電極３０は、液晶分子を一定方向に配列するための配向膜（不図示）で覆われる。
【００２７】
一方、図１に示すように、第１基板１１のうち第２基板１２と対向する側の面には、第２反射層１６が形成される。第２反射層１６は組Ｐごとに配置され、各第２反射層１６は相互に離間して配置される。各第２反射層１６は、光反射性を有する材料によって形成される。この種の材料としては、例えばアルミニウムや銀などの単体金属、またはアルミニウムや銀を主成分とする合金などが好適に採用される。
【００２８】
第２反射層１６のうち第１基板１１側と反対側の面には第１電極２０が形成される。第２反射層１６と同様に、第１電極２０は組Ｐごとに配置され、各第１電極２０は相互に離間して配置されるという具合である。第１電極２０は、ＩＴＯ（indium tin oxide）、ＩＺＯ（indium zinc oxide、出光興産株式会社の登録商標）、またはＺｎＯ２のような透明酸化物導電材料から形成される。第１基板１１（第２基板１２）の垂直方向からひとつの組Ｐを見た場合に、当該組Ｐにおける第１電極２０は、当該組Ｐに対応するカラーフィルタCFとほぼ重なり合うように形成される。第１電極２０のうち第２反射層１６と反対側の面には、液晶分子を一定方向に配列するための配向膜（不図示）が形成される。本実施形態では、ひとつの液晶素子Ｕは、ひとつの第１電極２０と、第２電極３０と、当該ひとつの第１電極２０と第２電極３０との間に挟持される液晶４０とを含んで構成されるという具合である。
【００２９】
図３は、第２基板１２（第１基板１１）の垂直方向からひとつの組Ｐを見た場合における第１電極２０と発光層６０との位置関係を模式的に示す平面図である。図３に示すように、本実施形態では、発光層６０は、第１電極２０の中心付近の領域と対向するように、発光層６０と第１電極２０との位置関係が設定されるという具合である。
【００３０】
次に、図４を参照しながら、発光層６０（発光素子Ｅ）から出射された白色光が、カラーフィルタCFに取り込まれるまでの経路を説明する。図４は、ひとつの組Ｐの発光層６０からの出射光が、当該組Ｐに対応するカラーフィルタCFに取り込まれるまでの経路を説明するための模式図である。まず、発光層６０から第２基板側１２へ出射された光が、カラーフィルタCFに取り込まれるまでの経路を説明する。図４に示すように、発光層６０から第２基板１２側へ出射された光は、第１反射層１５で反射して第１基板側１１へ進行する。当該光は、液晶素子Ｕを透過した後、第２反射層１６で反射して第２基板１２側へ進行する。そして、当該反射光は、再び液晶素子Ｕを透過した後、カラーフィルタCFに取り込まれるという具合である。
【００３１】
続いて、発光層６０から第１基板１１側へ出射された光が、カラーフィルタCFに取り込まれるまでの経路を説明する。図４に示すように、発光層６０から第１基板１１側へ出射された光は、液晶素子Ｕを透過した後、第２反射層１６で反射して第２基板１２側へ進行する。その反射光は、再び液晶素子Ｕを透過した後、カラーフィルタCFに取り込まれるという具合である。
【００３２】
すなわち、本実施形態では、図５に示すように、液晶素子Ｕからの反射光は、カラーフィルタCFのうち、基板の垂直方向から見て発光層６０と重なり合う領域以外の領域ＶＳに取り込まれる。そして、当該カラーフィルタCFに対応する色光が、第２基板１２側へ進行していくという具合である。ここでは、第２基板１２側が観察側である。本実施形態では、発光層６０の面積は、領域ＶＳ（つまりは表示領域）の面積を充分に確保できるような大きさに設定される。
【００３３】
なお、本実施形態に係る電気光学装置１００は反射型の液晶装置であり、外光（自然光）の明るさに応じて発光素子Ｅのオンオフが制御される。より具体的には、外光の明るさが所定値以上の場合は、発光素子Ｅはオフ状態に設定され、第２基板１２を透過して第１基板１１側へ進行する外光（自然光）が光源となる。一方、外光の明るさが所定値を下回る場合は、自然光のみでは鮮明な表示状態を得ることは困難であるので、発光素子Ｅがオン状態に設定されるという具合である。
【００３４】
以上に説明したように、本実施形態では、各発光素子Ｅの陰極を構成する第２電極３０は、各液晶素子Ｕの一方の電極を兼ねるので、各発光素子Ｅの陰極と、各液晶素子Ｕの一方の電極とが別々に作り込まれる態様に比べて、装置の薄型・軽量化を図ることができるという利点がある。
【００３５】
ところで、上述の特許文献１のように、発光素子Ｅが遮光膜BMと対向するように（遮光膜BMの直上に）設けられる態様では、液晶素子Ｕからの反射光のうちブラックマトリクスに吸収される光の量が多くなる。すなわち、特許文献１の構成では、液晶素子Ｕからの反射光のうち当該液晶素子Ｕに対応するカラーフィルタＣＦに取り込まれる光の量を充分に確保することが困難であるとともに、隣接する液晶素子Ｕ画素からの反射光が混ざり易いので、所望の色を取り出すことが困難であるという問題がある。
【００３６】
これに対して、本実施形態では、各組Ｐの発光素子Ｅは、当該組Ｐに対応するカラーフィルタCFと対向するように（対応するカラーフィルタCFの直上に）設けられるので、特許文献１に開示された技術のように、発光素子Ｅが遮光膜BMの直上に設けられる態様に比べて、液晶素子Ｕからの反射光のうちカラーフィルタCFに取り込まれる光の量を充分に確保できるとともに、混色の発生を抑制できるという利点がある。
【００３７】
また、前述したように、本実施形態では、各組Ｐに対応する遮光膜BMの一部と、当該組Ｐの発光素子Ｅの電源線（高位側電源線１３、低位側電源線１４）とが兼用されるので、構成が簡素化されるという利点がある。さらに、高位側電源線１３は、当該高位側電源線１３を挟んで図２のＸ方向に隣り合う組Ｐで共有される一方、低位側電源線１４は、当該低位側電源線１４を挟んで図２のＸ方向に隣り合う組Ｐで共有されるので、図２のＸ方向に隣接する組Ｐごとに電源線が２本ずつ設けられる態様に比べて、電源線の数が少なくて済むという利点もある。
【００３８】
＜２．変形例＞
本発明は上述した実施形態に限定されるものではなく、例えば、以下の変形が可能である。また、以下に示す変形例のうちの２以上の変形例を組み合わせることもできる。
【００３９】
（１）変形例１
上述の実施形態では、電気光学素子の一例として液晶素子を取り上げたが、これに限らず、例えば電気泳動素子を用いることもできる。電気泳動素子は、帯電粒子の電気泳動を利用して階調を表現する電気光学素子である。例えば、上述の液晶素子Ｕの代わりに、第１電極２０と、第２電極３０と、第１電極２０と第２電極３０との間に配置された複数のマイクロカプセルとを含むマイクロカプセル型の電気泳動素子を採用することもできる。複数のマイクロカプセルの各々は、その内部に、複数の帯電粒子（電気泳動粒子）と、電気泳動粒子を分散させるための分散媒とが封入された球状体である。電気泳動素子の構成は任意であり、例えば、帯電粒子（電気泳動粒子）が、プラスおよびマイナスのうちの一方の極性に帯電した白色粒子と、他方の極性に帯電した黒色粒子とで構成されてもよい。また、白色粒子および黒色粒子に代えて、例えば赤色、緑色、青色などの顔料からなる粒子を電気泳動粒子として用いることも可能である。
【００４０】
さらに、着色した分散媒中に単色粒子を分散させる態様であってもよい。例えば黒色に着色された分散媒中に白色粒子を分散させてもよいし、白色に着色された分散媒中に黒色粒子を分散させてもよい。さらに、３色以上の粒子を分散媒に分散させてもよい。
【００４１】
ここで、帯電粒子が、白色粒子と黒色粒子とで構成される態様を想定する。この態様では、発光層６０から電気泳動素子へ向けて出射される白色光のうち黒色粒子に入射した光は当該黒色粒子に吸収され、白色粒子に入射した光は当該白色粒子で反射して観察側へ進行するので、上述の実施形態のように、第２反射層１６を設ける必要が無い。したがって、構成のさらなる簡素化が図られるという利点がある。
【００４２】
（２）変形例２
上述の実施形態では、各発光素子Ｅは白色光を発生する態様が例示されているが、これに限らず、例えば各発光素子Ｅが、「Ｒ」「Ｇ」「Ｂ」のうちの何れかの色に対応する波長の光を発生する態様であってもよい。この態様によれば、カラーフィルタCFが不要となるので、構成のさらなる簡素化が図られるという利点がある。この態様では、外光の明るさが所定値以上で各発光素子Ｅがオフ状態に設定される場合は、表示状態はモノクロ表示になる一方、外光の明るさが所定値を下回って各発光素子Ｅがオン状態に設定される場合は、表示状態はカラー表示になるという具合である。
【００４３】
（３）変形例３
上述の実施形態では、電気光学装置の一例として反射型の液晶装置を取り上げたが、これに限らず、例えば透過型の液晶装置に本発明を適用することも可能である。つまり、第１基板１１側を観察側とし、発光素子Ｅをバックライトの光源として利用することも可能である。この態様であっても、上述の実施形態と同様に、各発光素子Ｅの陰極を構成する第２電極３０が、各液晶素子Ｕの一方の電極を兼ねることにより、各発光素子Ｅの陰極と、各液晶素子Ｕの一方の電極とが別々に作り込まれる態様に比べて、装置の薄型・軽量化を図ることができるという利点が得られる。
【００４４】
＜３．応用例＞
次に、本発明に係る発光装置を利用した電子機器について説明する。図６は、以上に説明した実施形態に係る電気光学装置１００を表示装置として採用したモバイル型のパーソナルコンピュータの構成を示す斜視図である。パーソナルコンピュータ２０００は、表示装置としての電気光学装置１００と本体部２０１０とを備える。本体部２０１０には、電源スイッチ２００１およびキーボード２００２が設けられている。この発光装置１００は発光素子ＥにＯＬＥＤ素子を使用しているので、視野角が広く見易い画面を表示できる。
【００４５】
図７に、以上に説明した実施形態に係る電気光学装置１００を表示装置として採用した携帯電話機の構成を示す。携帯電話機３０００は、複数の操作ボタン３００１およびスクロールボタン３００２、ならびに電気光学装置１００を備える。スクロールボタン３００２を操作することによって、電気光学装置１００に表示される画面がスクロールされる。
【００４６】
図８に、以上に説明した実施形態に係る電気光学装置１００を表示装置として採用した携帯情報端末（ＰＤＡ：Personal Digital Assistants）の構成を示す。情報携帯端末４０００は、複数の操作ボタン４００１および電源スイッチ４００２、ならびに電気光学装置１００を備える。電源スイッチ４００２を操作すると、住所録やスケジュール帳といった各種の情報が電気光学装置１０に表示される。
【００４７】
なお、本発明に係る電気光学装置が適用される電子機器としては、図６から図８に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【符号の説明】
【００４８】
１１……第１基板、１２……第２基板、１３……高位側電源線、１４……低位側電源線、１５……第１反射層、１６……第２反射層、２０……第１電極、３０……第２電極、４０……液晶、５０……第３電極、６０……発光層、７０……隔壁、１００……電気光学装置、ＢＭ……遮光膜、ＣＦ……カラーフィルタ、Ｅ……発光素子、Ｕ……液晶素子、Ｐ……組。
【図１】
2012013992.tif 000003
【図２】
2012013992.tif 000004
【図３】
2012013992.tif 000005
【図４】
2012013992.tif 000006
【図５】
2012013992.tif 000007
【図６】
2012013992.tif 000008
【図７】
2012013992.tif 000009
【図８】
2012013992.tif 000010